(57)【要約】【課題】  脱穀装置において、２番物ファンの選別風を２番物に当てることによって２番物に混入したワラ屑等を選別部での搬送下手側に排出するように構成した場合、２番物に混入したワラ屑等をさらに良く選別部での搬送下手側に排出することができるように構成する。【解決手段】  ２番物回収部６の上方を後方に向けて選別風を供給する２番物ファン２３を備え、２番物回収部６に回収された２番物を上方に跳ね上げる跳ね上げ手段２４を備える。【選択図】        図２
2006325462.tif 000002
【特許請求の範囲】
【請求項１】
選別部から漏下した２番物を回収する２番物回収部を備え、前記２番物回収部に沿った横軸芯周りに回転駆動されることにより２番物回収部に沿って２番物を搬送して排出する２番スクリューを備えて、
前記２番物回収部の上方を選別部での搬送下手側に向けて選別風を供給する２番物ファンを備えると共に、
前記２番物回収部に回収された２番物を上方に跳ね上げる跳ね上げ手段を備えてある脱穀装置。
【請求項２】
前記２番スクリューに跳ね板部材を取り付けて、前記２番スクリューと一緒に跳ね板部材が回転し、前記跳ね板部材により２番物が上方に跳ね上げられるようにして、前記跳ね上げ手段を構成してある請求項１に記載の脱穀装置。
【発明の詳細な説明】
【技術分野】
【０００１】
本発明は、脱穀装置における２番物の処理の構造に関する。
【背景技術】
【０００２】
自脱型式のコンバインや全稈投入型式（普通型式）のコンバイン、ハーベスタ等に搭載される脱穀装置では、例えば特許文献１に開示されているように、選別部（特許文献１の図１の３）から漏下した１番物を回収する１番物回収部（特許文献１の図１の１５）、選別部から漏下した２番物を回収する２番物回収部（特許文献１の図１の１６）を備えており、１番物回収部に沿った横軸芯周りに回転駆動されることにより１番物回収部に沿って１番物を搬送して排出する１番スクリュー（特許文献１の図１の１７）、２番物回収部に沿った横軸芯周りに回転駆動されることにより２番物回収部に沿って２番物を搬送して排出する２番スクリュー（特許文献１の図１の１８）を備えている。
【０００３】
脱穀装置では一般に、唐箕（特許文献１の図１の９）を備えて、選別部の下方を選別部での搬送下手側（特許文献１の図１の紙面右方）に向けて、唐箕の選別風を供給することにより、ワラ屑等を後方に排出するように構成している。
この場合、１番物に比べて２番物に多くのワラ屑等が混入している点、及び２番物回収部が唐箕から遠い点により、特許文献１では、２番物回収部の上方を選別部での搬送下手側に向けて選別風を供給する２番物ファン（特許文献１の図１の１１）を備えている。これにより、２番物が選別部から２番物回収部に漏下する間に、２番物ファンの選別風を２番物に当てることによって、２番物に混入したワラ屑等を選別部での搬送下手側に排出するように構成している。
【０００４】
【特許文献１】特開２００５−２１０３６号公報（図１）
【発明の開示】
【発明が解決しようとする課題】
【０００５】
２番物ファンの選別風を２番物に当てることによって２番物に混入したワラ屑等を選別部での搬送下手側に排出するように構成する場合、特許文献１では、２番物が選別部から２番物回収部に漏下する間の１回だけしか、２番物ファンの選別風が２番物に当たらないので、２番物に混入したワラ屑等を選別部での搬送下手側に排出すると言う面で改善の余地がある。
【０００６】
本発明は脱穀装置において、２番物ファンの選別風を２番物に当てることによって２番物に混入したワラ屑等を選別部での搬送下手側に排出するように構成した場合、２番物に混入したワラ屑等をさらに良く選別部での搬送下手側に排出することができるように構成することを目的としている。
【課題を解決するための手段】
【０００７】
［Ｉ］
（構成）
本発明の第１特徴は、脱穀装置において次のように構成することにある。
選別部から漏下した２番物を回収する２番物回収部を備え、２番物回収部に沿った横軸芯周りに回転駆動されることにより２番物回収部に沿って２番物を搬送して排出する２番スクリューを備え、２番物回収部の上方を選別部での搬送下手側に向けて選別風を供給する２番物ファンを備える。２番物回収部に回収された２番物を上方に跳ね上げる跳ね上げ手段を備える。
【０００８】
（作用）
本発明の第１特徴によると、２番物が選別部から２番物回収部に漏下する間に、２番物ファンの選別風が２番物に当たる。次に２番物が２番物回収部に回収されると、２番スクリューにより２番物回収部に沿って２番物が搬送されて排出されるのであるが、この間に跳ね上げ手段により２番物が２番物回収部から何回か上方に跳ね上げられる。このようにして２番物が２番物回収部から上方に跳ね上げられると、その際に２番物ファンの選別風が２番物に当たるのであり、２番物に混入したワラ屑等が選別部での搬送下手側に排出される。
本発明の第１特徴によると、２番物が選別部から２番物回収部に漏下する間だけではなく、２番物が２番物回収部に回収されてからでも、２番物ファンの選別風が２番物に何回か当たることになり、２番物に混入したワラ屑等を選別部での搬送下手側に排出する回数を多くすることができる。
【０００９】
脱穀装置では一般に、２番物回収部で回収された２番物を再び扱室や選別部に供給するように構成して、２番物の再処理を行うように構成している。
本発明の第１特徴によると、前述のように２番物に混入したワラ屑等を選別部での搬送下手側に排出する回数が多くなり、ワラ屑等が多く取り除かれる分だけ２番物の量が少なくなるので、２番物回収部で回収された２番物を再び扱室や選別部に供給するように構成する場合、扱室や選別部での２番物の再処理が楽に行われるようになる。
【００１０】
（発明の効果）
本発明の第１特徴によると、脱穀装置において、２番物ファンの選別風を２番物に当てることによって２番物に混入したワラ屑等を選別部での搬送下手側に排出するように構成した場合、２番物に混入したワラ屑等を選別部での搬送下手側に排出する回数を多くすることができ、２番物に混入したワラ屑等を良く選別部での搬送下手側に排出することができるようになって、脱穀装置の選別性能を向上させることができた。
本発明の第１特徴によると、ワラ屑等が多く取り除かれる分だけ２番物の量が少なくなり、扱室や選別部での２番物の再処理が楽に行われるようになるので、脱穀装置の全体の脱穀負荷を抑えることができて、脱穀装置の選別性能を向上させることができた。
【００１１】
［ＩＩ］
（構成）
本発明の第２特徴は、本発明の第１特徴の脱穀装置において次のように構成することにある。
２番スクリューに跳ね板部材を取り付けて、２番スクリューと一緒に跳ね板部材が回転し、跳ね板部材により２番物が上方に跳ね上げられるようにして、跳ね上げ手段を構成する。
【００１２】
（作用）
本発明の第２特徴によると、本発明の第１特徴と同様に前項［Ｉ］に記載の「作用」を備えており、これに加えて以下のような「作用」を備えている。
本発明の第２特徴によると、２番スクリューに跳ね板部材を取り付けるだけで、跳ね上げ手段を構成することができるのであり、２番スクリューと一緒に跳ね板部材（跳ね上げ手段）が回転駆動されるので、跳ね板部材（跳ね上げ手段）を回転駆動する別の駆動機構を備える必要がない。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、２番スクリューに跳ね板部材を取り付けるだけで、跳ね上げ手段を構成することができる点、及び跳ね板部材（跳ね上げ手段）を回転駆動する別の駆動機構を備える必要がない点により、構造の簡素化の面で有利なものとなった。
【発明を実施するための最良の形態】
【００１４】
図１は自脱型式のコンバインに搭載される脱穀装置を示しており、脱穀装置の左外側部に備えられたフィードチェーン１、前後向きの軸芯周りに回転駆動される扱胴２、扱胴２の下側に配置された受網３、受網３の下側で前後方向（図１の紙面左右方向）に揺動駆動される選別部４、選別部４の下側に配置された１番物回収部５及び２番物回収部６等を備えて、脱穀装置が構成されている。
【００１５】
図１に示すように、刈り取られた穀稈の株元側がフィードチェーン１に挟持されて選別部４での搬送下手側（図１の紙面右方）に搬送され、穀稈の穂先側が扱胴２と受網３との間で脱穀処理されて、脱穀処理された処理物が受網３から選別部４に漏下するのであり、扱胴２と受網３との間の出口７から出てきた処理物が、拡散胴８によりほぐし処理されて選別部４に供給される。拡散胴８の選別部４での搬送下手側に、横断流型式の排塵ファン２５が備えられている。
【００１６】
図１に示すように、選別部４は、受網３の前半部から漏下した処理物を比重選別しながら選別部４での搬送下手側に送る第１グレンパン９、第１グレンパン９からの処理物及び受網３の後半部から漏下した処理物から穀粒等の処理物を漏下させ残りの処理物を選別部４での搬送下手側に送るチャフシーブ１０、チャフシーブ１０から漏下した処理物を比重選別しながら選別部４での搬送下手側に送る第２グレンパン１１、第２グレンパン１１からの処理物から１番物（穀粒）を漏下させるグレンシーブ１２、出口７から出てきた処理物を比重選別しながら選別部４での搬送下手側に送る第３グレンパン１３、第３グレンパン１３からの処理物から穀粒等の処理物を漏下させる複数のフルイ線１４、チャフシーブ１０及びフルイ線１４からの処理物から２番物を漏下させ残りのワラ屑等の処理物を選別部４での搬送下手側に排出するストローラック１５、前下がり状の案内板１６等を備えて構成されている。
【００１７】
図１に示すように、グレンシーブ１２の下側に前下がり状の案内板１７が備えられて、案内板１７の前側下部に１番物回収部５が形成されている。ストローラック１５及び案内板１６の下側に側面視でＶ字状（Ｕ字状）の案内板１８が備えられて、案内板１８の底部に２番物回収部６が形成されている。図１，２，３に示すように、２番物回収部６に２番スクリュー２０が備えられている。２番スクリュー２０は２番物回収部６に沿った横軸芯Ｐ１周りに回転駆動される駆動軸２０ａ、駆動軸２０ａの周囲に固定された螺旋体２０ｂにより構成されており、螺旋体２０ｂの外周部に亘って駆動軸２０ａと平行に複数の跳ね板部材２４（跳ね上げ手段に相当）が取り付けられている。図１に示すように、１番物回収部５において、２番スクリュー２０と同様な１番スクリュー１９が備えられている（但し、跳ね板部材２４は１番スクリュー１９に備えられていない）。
【００１８】
図１に示すように、第１グレンパン９の下側に唐箕２１が備えられており、唐箕２１の選別風が１番物回収部５の上方からグレンシーブ１２と案内板１７との間を選別部４での搬送下手側に向けて供給される。唐箕２１の選別部４での搬送上手側に横断流型式の副唐箕２２が備えられており、副唐箕２２の選別風が第１グレンパン９及びチャフシーブ１０の間からチャフシーブ１０の上方を選別部４での搬送下手側に向けて供給される。図１及び図２に示すように、案内板１７の下側に横断流型式の２番物ファン２３が備えられており、２番物ファン２３の選別風が案内板１７，１８の間から２番物回収部６の上方を選別部４での搬送下手側に向けて供給され、ストローラック１５及び案内板１６との間を選別部４での搬送下手側に供給される（矢印Ａ２参照）。
【００１９】
図４及び図５に示すように、唐箕２１は、回転駆動される駆動軸２１ａ、駆動軸２１ａから放射状に延出された複数の支持アーム２１ｂ、支持アーム２１ｂに固定された複数の横長のファンプレート２１ｃ、ファンプレート２１ｃの中央部に固定された仕切り板２１ｄ等を備えて構成されている。この場合、唐箕２１の回転方向Ａ１に向かって仕切り板２１ｄがファンプレート２１ｃに固定されており、ファンプレート２１ｃの中央部よりもファンプレート２１ｃの右及び左の端部が唐箕２１の回転方向Ａ１に向かって先行するように、ファンプレート２１ｃがＶ字状に折り曲げられている。これにより、唐箕２１が回転駆動されるのに伴って、唐箕２１の右及び左側部から空気が吸入され、唐箕２１の全幅から略均一な量の選別風が排出される。
【００２０】
例えば唐箕２１のファンプレート２１ｃが折り曲げられていない直線状の平板状であると、唐箕２１が回転駆動されるのに伴って唐箕２１の右及び左側部から空気が吸入された場合、唐箕２１の右及び左側部から選別風が主に排出されて、唐箕２１の中央部から排出される選別風が少なくなることがある。
これに対して図４及び図５に示すように、唐箕２１のファンプレート２１ｃが折り曲げられていると、唐箕２１が回転駆動されるのに伴って唐箕２１の右及び左側部から空気が吸入された場合、唐箕２１のファンプレート２１ｃの折り曲げによる傾斜によって、空気が唐箕２１の中央部にも寄せ集められるようになるのであり、唐箕２１の中央部から排出される選別風が少なくなる状態が回避される。この場合、唐箕２１のファンプレート２１ｃをＶ字状に折り曲げるのではなく、唐箕２１のファンプレート２１ｃの右及び左端部を中央側に折り曲げるように構成してもよい。
【００２１】
以上の構造によって、図１に示すように、受網３の前半部から漏下した処理物が第１グレンパン９により比重選別されながらチャフシーブ１０に送られて、チャフシーブ１０から漏下した処理物が第２グレンパン１１により比重選別されながらグレンシーブ１２に送られ、グレンシーブ１２から漏下した１番物が案内板１７から１番物回収部５に回収される。１番スクリュー１９が回転駆動されることにより１番物回収部５に沿って１番物が搬送されて排出され、グレンタンク（図示せず）に供給される。この場合、１番物がグレンシーブ１２から１番物回収部５に漏下する間に、唐箕２１の選別風が１番物に当たることによって、１番物に混入したワラ屑等が選別部４での搬送下手側に排出される。
【００２２】
図１に示すように、出口７、第３グレンパン１３及びフルイ線１４、チャフシーブ１０から処理物がストローラック１５に送られ、ストローラック１５から漏下した２番物が案内板１６から２番物回収部６に回収されるのであり、ストローラック１５を漏下しなかったワラ屑等が、ストローラック１５により選別部４での搬送下手側に排出されたり、排塵ファン２５により選別部４での搬送下手側に排出されたりする。
【００２３】
この場合、図１及び図２に示すように、２番物がストローラック１５から２番物回収部６に漏下する間に、２番物ファン２３の選別風が２番物に当たることによって、２番物に混入したワラ屑等がストローラック１５及び案内板１６の間を選別部４での搬送下手側に排出される。２番物が２番物回収部６に回収されると、２番スクリュー２０により２番物回収部６に沿って２番物が搬送されて排出されるのであるが、この間に跳ね板部材２４により２番物が２番物回収部６から何回か上方に跳ね上げられる。２番スクリュー２０が横軸芯Ｐ１周りに図２の紙面時計方向に回転駆動されるので（矢印Ａ４参照）、跳ね板部材２４により２番物が２番物ファン２３に近い側から上方に跳ね上げられる（矢印Ａ３参照）。このように２番物が２番物回収部６から上方に跳ね上げられると、その際に２番物ファン２３の選別風が２番物に当たるのであり、２番物に混入したワラ屑等が前述のようにストローラック１５及び案内板１６の間を選別部４での搬送下手側に排出される。
【００２４】
図１及び図２に示すように、２番スクリュー２０が回転駆動されることにより２番物回収部６に沿って２番物が搬送されて排出され、２番還元スクリュー２６により２番物が選別部４の前部に供給されて再処理される。この場合、２番還元スクリュー２６により２番物が扱胴２と受網３との間に供給されて再処理されるように構成してもよい。
【００２５】
［発明の実施の別形態］
前述の［発明を実施するための最良の形態］において、２番スクリュー２０の螺旋体２０ｂの外周部に亘って駆動軸２０ａと平行に跳ね板部材２４を取り付けるのではなく、跳ね板部材２４を２番スクリュー２０の駆動軸２０ａに放射状に取り付けるように構成してもよい。
本発明は自脱型式のコンバインに搭載される脱穀装置ばかりではなく、全稈投入型式（普通型式）のコンバインやハーベスタ等に搭載される脱穀装置にも適用できる。
【図面の簡単な説明】
【００２６】
【図１】脱穀装置の全体側面図
【図２】２番物ファン及び２番物回収部の縦断側面図
【図３】２番物回収部及び２番スクリューの背面図
【図４】唐箕の全体斜視図
【図５】唐箕のファンプレートの平面図
【符号の説明】
【００２７】
４    選別部
６    ２番物回収部
２０  ２番スクリュー
２３  ２番物ファン
２４  跳ね上げ手段、跳ね板部材
Ｐ１  横軸芯
【図１】
2006325462.tif 000003
【図２】
2006325462.tif 000004
【図３】
2006325462.tif 000005
【図４】
2006325462.tif 000006
【図５】
2006325462.tif 000007